(57)【要約】  【課題】  既設のケーブルに対し新設のケーブルの一束化を容易に図ることのできる装置を提供する。  【解決手段】  電柱ｄ，ｄ´間に架設した支持線Ｓに適宜の間隔を置いて装置してケーブルＣを支持したケーブルハンガーＡのそれぞれに、既設の前記ケーブルＣに沿って配する新設のケーブルＣａを部分的に支持する支持手段を設ける。  そして、挟持手段は、前記ケーブルハンガーＡの主体１の外側面１ｂ´に設けた係合溝５と該係合溝５の開放端を塞ぐ蓋片６とで構成する。【選択図】    なし【特許請求の範囲】
【請求項１】
電柱間に架設した支持線に適宜の間隔を置いて装置してケーブルを支持したケーブルハンガーのそれぞれに、既設の前記ケーブルに沿って配する新設のケーブルを部分的に支持する支持手段を設けた、ケーブル一束化装置。
【請求項２】
電柱間に架設した自己支持型ケーブルに適宜の間隔を置いてケーブルハンガーを装置し、該ケーブルハンガーのそれぞれに、前記自己支持型ケーブルに沿って配する新設のケーブルを部分的に支持する支持手段を設けた、ケーブル一束化装置。
【発明の詳細な説明】
【技術分野】
【０００１】
例えば、架空に布設されている配線系（伝送路の）ケーブルである光ケーブルから分岐した光ドロップケーブルは、分岐部（概し、クロージャー部）と一般加入者宅の位置関係から分岐部から一般加入者宅に直接引き込まないで、前記配線系ケーブルに沿わせて支持させ、径間（配線系ケーブルを架設した電柱間）の中間部から前記一般加入者宅へと方向を変えて引き込み配線する場合がある。
【０００２】
本発明は、このように新設のケーブルである光ドロップケーブルを既設のケーブルである配線系ケーブルに沿わせ支持させる際等に適用する、ケーブル一束化装置に関するものである。
【背景技術】
【０００３】
電柱間にケーブルを架設するには、電柱間に支持線を架設し、該支持線に組付けた支持具にケーブルを支持させて前記支持線に沿って架設するのが一般であるが、既設の線路に並べて同様の方法でケーブルを新設すると、支持線等を重複して用いる等種々の弊害が生じる。このため、ケーブルの新設に際して既設のケーブル線路を利用するというケーブルの一束化が提案され、施工されるようになっており、既設のケーブル線路を利用してのケーブルの一束化は、支持具として螺旋状ケーブル支持具を用いるようになってからのことでもある。
【０００４】
例えば、既設のケーブル側に組合わせた（既設のケーブルが自己支持型ケーブルの場合は該自己支持型ケーブルに巻回支持させた、自己支持型ケーブルでないときは該ケーブルを支持する支持線に該ケーブルと共に巻回支持させた）螺旋状ケーブル支持具の径内に、一方の電柱側から引き紐通し具を押し込んで他の一方の電柱側へと移動させ、該通し具に後端に接続した引き紐を牽引することにより、引き紐の後端に接続したケーブルを螺旋状ケーブル支持具の径内に引き込み、電柱間に架線する施工方法（例えば、特許文献１）が適用されている。
【０００５】
【特許文献１】特許第３００２８７２号公報
【発明の開示】
【発明が解決しようとする課題】
【０００６】
前記従来例は、既設のケーブル側に組合わせた螺旋状ケーブル支持具の内径の関係等から新設のケーブルを該支持具内に引き込むことが難しい場合（このときは、螺旋状ケーブル支持具を大きな径のものに交換する煩雑な作業を要する）があり、何よりも、光ドロップケーブルのように短い区間の一束化で足りる場合に適用するには実用的とはいえない。
【０００７】
本発明は斯様な従来例の欠点に着目して創案したものである。
【課題を解決するための手段】
【０００８】
既設のケーブルが支持線（吊線やメッセンジャーワイヤーともいう）で支持させる必要のない自己支持型ケーブルの場合は、該自己支持型ケーブルに適宜の間隔を存してケーブルハンガーを取付け、前記自己支持型ケーブルに沿って配した新設のケーブルを部分的に支持する支持手段を前記ケーブルハンガーのそれぞれに設けた構成とし、また、既設のケーブルが、既設の支持線に沿って配した自己支持型以外のケーブルの場合は、該ケーブルを前記支持線に適宜の間隔置きにケーブルハンガーを組付け、前記ケーブルに沿って配した新設のケーブルを部分的に支持する支持手段を前記ケーブルハンガーのそれぞれに設けた構成とするのである。
【発明の効果】
【０００９】
本発明によれば、新設のケーブルを既設のケーブル側に並べて装置したケーブルハンガーに支持させるだけで、当該新設のケーブルの架設と既設のケーブルとの一束化を図ることができる。
【実施例】
【００１０】
図面は、本発明に係るケーブル一束化装置の一実施例を示し、図１は略示正面図、図２は図１の一部拡大図、図３は図２のａ−ａ´線断面図、図４はケーブルハンガーの側面図である。
【００１１】
図中、Ｓは電柱Ｄ，Ｄ´間に架設した支持線で、該支持線Ｓに沿わせて配したケーブルＣを、前記支持線Ｓに適宜の間隔を存して配したケーブルハンガーＡに支持させてある。
【００１２】
なお、ケーブルハンガーＡによるケーブルＣの支持は、公知構造（例えば、前記特許文献１に記載）の螺旋状ケーブル支持具をケーブルハンガーＡにつけ換えたり、該ケーブル支持具に支持させた状態にケーブルハンガーＡを付加して行う（図示は、つけ換えた場合を示すが、当初よりケーブルハンガーＡを用いてケーブルＣを支持させた状態のものに本発明装置を適用しても不都合のないことは勿論である。なお、ケーブルハンガーＡの支持線Ｓ乃至ケーブルＣに対する組付けは、概し、バケット車を利用して行う）。
【００１３】
そして、図１は、この既設のケーブルＣに沿わせてケーブルＣ´を新設する（追加架設する）に際し、該新設のケーブルＣ´を前記各ケーブルハンガーＡのそれぞれに支持手段で支持させて既設のケーブルＣと新設のケーブルＣ´を一束化した状態を示したものである。
【００１４】
前記ケーブルハンガーＡは、ハンガー主体１と該ハンガー主体１に基部において回動自在に組付けた、やや扇状の挟持片２とで成り、ハンガー主体１は略対称的な形状の一対の部片１ａ，１ｂを一端において接続した態様の、ほぼＵ字形態で成り、前記部片１ａ，１ｂで構成する切欠部３の開放端側の大径部を前記既設のケーブルＣを係合する第一切欠３ａと成し、該第一切欠３ａの奥端中央に第一切欠３ａに連通させて設けた第一切欠３ａより小径なＵ字状小径部を第二切欠３ｂと成してこれに前記支持線Ｓを係合するようにしてある。
【００１５】
ハンガー主体１は、また、一方の部片１ａの外側面１ａ´と、他の一方の部片１ｂの外側面１ｂ´のそれぞれに、前記支持線Ｓ（の軸線）に沿う方向にしてあり溝状の係合溝５を設け（一方の部片２ｂ側には一対）、その上面（係合溝５の底面に対する）側の開放端５ａを各部片１ａ又は１ｂに一端を回動自在に組付けた蓋片６で開閉するようにし、係合溝５に係合したケーブル（新設の）Ｃ´が前記開放端５ａを通じて脱落しないようにしてある。
【００１６】
なお、係合溝５にはアタッチ材７を係離自在に摺嵌し、支持枠７ａと蓋片７ｂとで成る、このアタッチ材７で新設のケーブルＣａを支持することができるようにしてあり、ケーブルＣ´やＣａを支持するに、係合溝を直接利用するか、該係合溝にアタッチ材７を摺嵌して間接的利用するかは、現場の状況や新設のケーブル（符号Ｃ´，Ｃａで示す以外のものも含め）によって選択され、アタッチ材７は実施例の構造に限る必要はない（係合溝５の形態は勿論）。
【００１７】
なお、アタッチ材７（の支持枠７ａ）は係合溝５の壁面に圧接して係合溝５との組付け状態が維持されているが、その維持手段は自在に選択すれば良い。
【００１８】
前記挟持片２は、ハンガー主体１の一方の部片１ａの分岐部片１´ａ，１´ａ間に介在させて軸８で回動自在にしてハンガー主体１に組付けたもので、軸８を中心とする円弧状の外側縁１０ａには鋸歯状の係止爪１０，…を列設し、該係止爪１０，…の適宜のものが選択的に係止する受止爪１１を、ハンガー主体１の前記一方の部片１ｂの自由端側先端の内側縁部に突設したものである。
【００１９】
また、挟持片２の、係止爪１０，…の列設方向の一端には把手部１３を突設し、該把手部１３に手先をかけて挟持片２を軸８を中心に回動させてハンガー主体１内に押し込むようにしてあり、ハンガー主体１の一方の部片１ｂの内周縁には、前記軸８を中心とする円周上に存する嵌合溝１４を設け、挟持片２が一端側からこれに嵌合するようにしてある。
【００２０】
挟持片２は、係止爪１０を列設した前記外側縁１０ａに相対する内側縁１０ｂを、該挟持片２と前記ハンガー主体１（の第一切欠３ａ）とで挟持できる、最大径のケーブルＣ（既設のケーブルを構成する）が係合する程度の円弧形としてあり、主体１側の第一切欠３ａの構成縁３ａ´もこれと同様にしてある。
【００２１】
そして、電柱Ｄ，Ｄ´間にわたした支持線ＳとケーブルＣをハンガー主体１と挟持片２の間に介在させて、挟持片２を軸８を中心にして回動させて主体１内に押し込むと、支持線Ｓを第二切欠３ｂに相対的に係合する一方、ケーブルＣは両材で挟持された状態となって、ケーブルハンガーＡは、支持線ＳとケーブルＣに組付けられ、このようにして支持線Ｓ（ケーブルＣ）の軸線方向に沿わせて適宜の間隔を存してハンガーＡを配設し、各ハンガーＡに設けた支持手段である蓋片６付の係合溝５に、ケーブルＣに対して新設のケーブルＣ´やＣａその他を組付けることにより一束化したケーブル装置を得られるのである。
【００２２】
そして、アタッチ材７を用いるほうが適当である場合は、各ハンガーＡ（の互いに当位する係合溝）にアタッチ材７を組付けて該アタッチ材７部において新設のケーブル（例えば、符号Ｃａで示すように）を支持させ一束化を図るのである。このアタッチ材７を用いるときは、アタッチ材７を用いる当該係合溝５の蓋片６は切離しても良い。
【００２３】
なお、自己支持型ケーブルを既設のケーブルとして適用し、該自己支持型ケーブルに、その長手方向に沿わせてケーブルハンガーＡを適宜間隔を置いて組付け、適宜の係合溝５を用いて新設のケーブルを一束化するようにしても良い。
【図面の簡単な説明】
【００２４】
【図１】略示正面図。
【図２】図１の一部拡大図。
【図３】図２のａ−ａ´線断面図。
【図４】ケーブルハンガーの側面図。
【符号の説明】
【００２５】
Ａ          ケーブルハンガー
Ｃ，Ｃａ    ケーブル
Ｓ          支持線
１          ケーブル主体
【図１】
2008125216.tif 000002
【図２】
2008125216.tif 000003
【図３】
2008125216.tif 000004
【図４】
2008125216.tif 000005